(57)【要約】【課題】  同様の処理を複数の静止画に施す場合に効率よく実行できたり、全体を再度見直して選択候補を吟味し直したりできる画像再生技術を提供する。【解決手段】  複数の静止画のなかから選択された静止画を順次再生できるデジタルカメラにおいて、制御部１が、前記複数の静止画または前記選択された静止画に対して施す処理の種別を操作部８と表示装置１１により指定させるとともに、前記複数の静止画または前記選択された静止画を表示装置１１に順番に表示させ、表示されたそれぞれの静止画に対して指定された処理を施すか否かを操作部８により静止画ごとに順次指定させる構成にした。また、前記処理の種別が、個々の静止画に対して施す編集処理、または当該静止画を再生対象から除外する削除処理である構成にした。【選択図】        図１
2005191967.tif 000002
【特許請求の範囲】
【請求項１】
複数の静止画のなかから選択された静止画を順次再生する画像再生装置において、前記複数の静止画または前記選択された静止画を順番に表示させる静止画表示手段と、その静止画表示手段により順番に表示されたそれぞれの静止画に対して所定の処理を施すか否かを当該静止画ごとに順次指定させる個別指定手段とを備えたことを特徴とする画像再生装置。
【請求項２】
請求項１記載の画像再生装置において、前記複数の静止画または前記選択された静止画に対して施す処理の種別を指定させる処理種別指定手段を備え、前記静止画表示手段により表示されたそれぞれの静止画に対して前記処理種別指定手段により指定された処理を施すか否かを静止画ごとに指定させるように前記個別指定手段を構成したことを特徴とする画像再生装置。
【請求項３】
請求項１または請求項２記載の画像再生装置において、前記処理の種別が、個々の静止画に対して施す編集処理、または当該静止画を再生対象から除外する削除処理であることを特徴とする画像再生装置。
【請求項４】
請求項１、請求項２、または請求項３記載の画像再生装置において、前記個別指定手段により指定された複数の静止画に対する処理を一括して実行する処理手段を備えたことを特徴とする画像再生装置。
【請求項５】
複数の静止画のなかから選択された静止画を順次再生する画像再生装置を備えたデジタルカメラにおいて、請求項１乃至請求項４のいずれか１項に記載の画像再生装置を備えたことを特徴とするデジタルカメラ。
【請求項６】
複数の静止画のなかから選択された静止画を順次再生する画像再生方法において、前記複数の静止画または前記選択された静止画に対して施す処理の種別を指定させるとともに、前記複数の静止画または前記選択された静止画を順番に表示させ、表示されたそれぞれの静止画に対して指定された処理を施すか否かを静止画ごとに順次指定させることを特徴とする画像再生方法。
【請求項７】
請求項６記載の画像再生方法において、前記処理の種別が、個々の静止画に対して施す編集処理、または当該静止画を再生対象から除外する削除処理であることを特徴とする画像再生方法。
【請求項８】
請求項６または請求項７記載の画像再生方法において、指定された複数の静止画に対する処理を一括して実行することを特徴とする画像再生方法。
【請求項９】
演算処理装置の動作内容をプログラミングしたプログラムにおいて、請求項６、請求項７、または請求項８記載の画像再生方法によった画像生成を実行させるようにプログラミングされていることを特徴とするプログラム。
【発明の詳細な説明】
【技術分野】
【０００１】
本発明は、複数の静止画のなかから選択された静止画を順次再生する、デジタルカメラなどの画像再生装置に係わり、特に、画像再生に際して複数の静止画に施す処理を効率的におこなうことができる画像再生技術に関する。
【背景技術】
【０００２】
半導体技術および情報処理技術の進歩により、情報機器や画像を扱う機器の多機能化が進んでいる。例えばデジタルカメラは、単に撮影するだけの機器でなく、一連の撮影画像を編集し、編集した静止画を例えばスライド映像として表示装置へ出力する画像再生装置としても用いることができるようになった。
特許文献１に示された従来技術はそのような従来技術の代表例であり、図２に示したデジタルカメラとほぼ同様の操作ボタンである、「ＳＥＴ」ボタン、「ＭＥＮＵ」ボタン、「ＪＵＭＰ」ボタン、「＋」ボタン、「−」ボタンなどを備えて、撮影した個々の静止画を編集したり、個々の静止画を削除したりすることができ、さらに、編集した一連の静止画を映出させ、スライドショーなどを行なうことができる。デジタルカメラの背面に備えた表示装置を用いて画像を確認しながら再生する静止画を選択し、選択したそれぞれの静止画に対して１つ選択するごとに指定した処理を施し、処理された複数の静止画を予め指定した順番で自動再生するのである。
なお、画像補正を施したサムネール画像の一覧を表示して、その一覧から再度画像補正を施す画像と施さない画像を選択させるというような技術も提案されている。
【特許文献１】特開平１１−３３１７３９号公報
【発明の開示】
【発明が解決しようとする課題】
【０００３】
しかしながら、特許文献１に示された従来技術では、処理を施す対象静止画を選択し、当該処理を実行する際、１つの静止画を選択してはその静止画に施す当該処理を実行する動作を対象静止画の数だけ繰り返さねばならないので、同様の処理を複数の静止画に施す場合には作業効率が悪い。特に、画像補正など時間のかかる編集処理を複数静止画分繰り返す場合には非常に効率が悪くなる。
また、当該処理の対象候補をまとめて選択しておいて、全体を再度見直して選択候補の吟味をしなおしたいというニーズも存在し、従来技術ではこれらのニーズに対応できない。
また、画像補正を施したサムネール画像の一覧を表示して、その一覧から再度画像補正を施す画像と施さない画像を選択させる従来技術では、表示画像の画像品質が落ちるので、画像補正を実施すべきかどうか判断は難しい。
本発明の目的は、このような従来技術の問題を解決しようとするものであり、具体的には、同様の処理を複数の静止画に施す場合に効率よく実行できたり、全体を再度見直して選択候補を吟味し直したりできる画像再生装置などを提供することにある。
【課題を解決するための手段】
【０００４】
前記した課題を解決するために、請求項１記載の発明では、複数の静止画のなかから選択された静止画を順次再生する画像再生装置において、前記複数の静止画または前記選択された静止画を順番に表示させる静止画表示手段と、その静止画表示手段により順番に表示されたそれぞれの静止画に対して所定の処理を施すか否かを静止画ごとに順次指定させる個別指定手段とを備えた。
また、請求項２記載の発明では、請求項１記載の発明において、前記複数の静止画または前記選択された静止画に対して施す処理の種別を指定させる処理種別指定手段を備え、前記静止画表示手段により表示されたそれぞれの静止画に対して前記処理種別指定手段により指定された処理を施すか否かを静止画ごとに指定させるように個別指定手段を構成した。
また、請求項３記載の発明では、請求項１または請求項２記載の発明において、前記処理の種別が、個々の静止画に対して施す編集処理、または当該静止画を再生対象から除外する削除処理である構成にした。
また、請求項４記載の発明では、請求項１、請求項２、または請求項３記載の発明において、前記個別指定手段により指定された複数の静止画に対する処理を一括して実行する処理手段を備えた。
【０００５】
また、請求項５記載の発明では、複数の静止画のなかから選択された静止画を順次再生する画像再生装置を備えたデジタルカメラにおいて、請求項１乃至請求項４のいずれか１項に記載の画像再生装置を備えた。
また、請求項６記載の発明では、複数の静止画のなかから選択された静止画を順次再生する画像再生方法において、前記複数の静止画または前記選択された静止画に対して施す処理の種別を指定させるとともに、前記複数の静止画または前記選択された静止画を順番に表示させ、表示されたそれぞれの静止画に対して指定された処理を施すか否かを静止画ごとに順次指定させる構成にした。
また、請求項７記載の発明では、請求項６記載の発明において、前記処理の種別が、個々の静止画に対して施す編集処理、または当該静止画を再生対象から除外する削除処理である構成にした。
また、請求項８記載の発明では、請求項６または請求項７記載の発明において、指定された複数の静止画に対する処理を一括して実行する構成にした。
また、請求項９記載の発明では、演算処理装置の動作内容をプログラミングしたプログラムにおいて、請求項６、請求項７、または請求項８記載の画像再生方法によった画像生成を実行させるようにプログラミングされている構成にした。
【発明の効果】
【０００６】
本発明によれば、請求項１記載の発明では、複数の静止画のなかから選択された静止画を順次再生する際、前記複数の静止画または前記選択された静止画を順番に表示させ、表示されたそれぞれの静止画に対して所定の処理を施すか否かを静止画ごとに順次指定させることができるので、同様の処理を複数の静止画に施す場合や、その際に全体を再度見直して選択候補を吟味し直したりする場合に、効率よく実行することが可能になる。
また、請求項２記載の発明では、請求項１記載の発明において、前記複数の静止画または前記選択された静止画に対して施す処理の種別を指定させ、表示されたそれぞれの静止画に対して指定された処理を施すか否かを静止画ごとに指定できるので、処理の種別が複数ある場合でも請求項１記載の発明の効果を得ることができる。
また、請求項３記載の発明では、請求項１または請求項２記載の発明において、処理の種別が、個々の静止画に対して施す編集処理、または当該静止画を再生対象から除外する削除処理であるので、同様の編集処理を複数の静止画に施す場合、または複数の静止画を再生対象から除外する場合に効率よく実行することが可能になるし、そのような場合に全体を再度見直して選択候補を吟味し直したりする際に効率よく実行できる。
また、請求項４記載の発明では、請求項１、請求項２、または請求項３記載の発明において、指定された複数の静止画に対する処理を一括して実行できるので、処理効率が向上する。
また、請求項５記載の発明では、デジタルカメラに、請求項１乃至請求項４のいずれか１項に記載の画像再生装置を備えたので、デジタルカメラを用いて請求項１乃至請求項４のいずれか１項に記載の発明の効果を得ることができる。
【０００７】
また、請求項６記載の発明では、複数の静止画のなかから選択された静止画を順次再生する際、前記複数の静止画または前記選択された静止画に対して施す処理の種別を指定させるとともに、前記複数の静止画または前記選択された静止画を順番に表示させ、表示されたそれぞれの静止画に対して指定された処理を施すか否かを静止画ごとに順次指定させるので、処理の種別が複数ある場合でも請求項１記載の発明の効果を得ることができる。
また、請求項７記載の発明では、請求項６記載の発明において、処理の種別が、個々の静止画に対して施す編集処理、または当該静止画を再生対象から除外する削除処理であるので、同様の編集処理を複数の静止画に施す場合、または複数の静止画を再生対象から除外する場合に効率よく実行することが可能になるし、そのような場合に全体を再度見直して選択候補を吟味し直したりする際に効率よく実行できる。
また、請求項８記載の発明では、請求項６または請求項７記載の発明において、指定された複数の静止画に対する処理を一括して実行するので、処理効率が向上する。
また、請求項９記載の発明では、演算処理装置の動作内容をプログラミングしたプログラムが、請求項６、請求項７、または請求項８記載の画像再生方法によった画像生成を実行させるようにプログラミングされているので、演算処理装置を用いて請求項６、請求項７、または請求項８記載の発明の効果を得ることができる。
【発明を実施するための最良の形態】
【０００８】
以下、図面により本発明の実施形態を詳細に説明する。但し、この実施形態に記載される構成要素、種類、組み合わせ、形状、その相対位置などは特定的な記載がない限りこの説明の範囲をそれのみに限定する主旨ではなく、単なる説明例に過ぎない。
図１は本発明の画像再生装置の一実施形態を示すデジタルカメラ要部の構成ブロック図である。図示したように、このデジタルカメラは、このカメラの全体を制御する制御部１、レンズ２、絞り機能を有するシャッタ３、レンズ２により結像された光学像をアナログ電気信号に変換する撮像素子４、そのアナログ電気信号をデジタルデータに変換するＡＤ変換器５、デジタル化された撮像画像データ（以下、画像データと略す）に各種画像処理を施す画像処理部６、画像処理された画像データを記憶するメモリ７、各種操作ボタンなどを有する操作部８、表示画面用の画像データを記憶する画像表示メモリ９、メモリ制御をおこなってメモリ７に記憶されている画像データを画像表示メモリ９へ取り込むとともに画像表示メモリ９から画像データを取り出しアナログ信号に変換して出力する表示インタフェース部１０、タッチパネル付き表示部（例えば液晶パネル）１１、プリンタなどに画像データを出力するためのインタフェース部である画像出力部１２、ＬＡＮや公衆網などを介しておこなう相手装置との通信を制御する通信制御部１３、前記表示インタフェース部１０の出力信号が出力される、モニタ装置を接続するためのコネクタ１４、および現在の年月日時分を出力する時計回路１５などを備える。
なお、前記制御部１は、プログラムを書き込んでおくＲＯＭ、およびそのプログラムに従って動作するＣＰＵなどを有する。また、メモリ７は画像データを含む各種データを一時的に格納するＲＡＭと、ファイル化されたデータなどを保存しておく不揮発性メモリからなる。
【０００９】
このような構成のデジタルカメラの背面図を図２に示す。図示したように、このデジタルカメラの背面には、前記操作部８、前記タッチパネル付き表示部１１、および光学ファインダ１６などを備え、操作部８には、「メニュー」ボタン２１、「セット」ボタン２２、「＋」ボタン２４、「−」ボタン２５などを備える。また、側面には前記コネクタ１４を備えている。
このような構成で、このデジタルカメラでは、例えばプレゼンテーションのためのスライド映出をおこなったり、そのための個々の静止画（スライド画像）の選択・編集および静止画の再生順設定などをおこなったりすることができるが、その静止画選択・編集および静止画の再生順設定はこの操作部８とタッチパネル付き表示部１１を用いておこなう。なお、スライド映出はコネクタ１４に接続されたモニタ装置を用いておこなうことができる。
操作部８に備えるいくつかのボタンのうち、「メニュー」ボタン２１は、メニューを起動したり、下位層のメニュー表示状態で上位層のメニューに戻したりする際に用いる。また、「セット」ボタン２２は選択されたメニュー項目の確定、各種処理操作の確定・実行などに用いる。また、「＋」ボタン２４は選択する静止画を最新の撮影画像の方向へ移動させたり、選択するメニューを移動させたりするのに用い、「−」ボタン２５は選択する静止画を古い画像の方向へ移動させたり、選択するメニューを移動させたりするのに用いる。
【００１０】
次に、本発明の一実施例について説明する。なお、この実施例では、請求項１記載の静止画表示手段および個別指定手段、請求項２記載の処理種別指定手段が、制御部１、画像表示メモリ９、表示インタフェース部１０、およびタッチパネル付き表示部１１などにより実現され、請求項４記載の処理手段が制御部１および画像処理部６により実現される。
このような構成で、この実施例のデジタルカメラでは、複数の静止画またはそのなかから選択された静止画に対して施す処理の種別を指定させるとともに、前記複数の静止画または前記選択された静止画を順番に表示させ、表示されたそれぞれの静止画に対して指定された種別の処理を施すか否かを静止画ごとに順次指定させ、指定された複数の静止画に対する処理を一括して実行する。なお、処理の種別としては例えば削除処理や編集処理がある。
図３は、処理の種別が削除である場合について示した、この実施例の動作フロー図である。以下、図３に従って、この実施例の動作を説明する。
まず、利用者が「メニュー」ボタン２１（図２参照）を押下する。これにより、制御部１がその押下を認識し、図４に示したような画面を表示させる。そして、この画面で利用者が「画像削除」ボタンにタッチし、「セット」ボタン２２を押すと、制御部１はそれを認識し、図５に示したような削除メニューを表示させる（Ｓ１）。
続いて、利用者はこの画面で「マーク／非マーク」ボタンにタッチし、「セット」ボタン２２を押す。これにより、制御部１は「スタート」表示（図５参照）を表示状態にし、削除したい静止画を指定させる削除指示モードに入る（Ｓ２）。
削除指示モードに入ると、制御部１は選択対象となる複数の静止画を順次表示させるが（図６参照）、最初の画面では並んでいる複数の静止画（例えば撮影順に並んでいる）のうち１番目の静止画を表示対象とする（Ｓ３）。そして、制御部１はその表示対象静止画に対応付けて削除指示が付加されているかどうかをチェックする（このチェックは見直しを可能にさせるために行なうようにしているが、最初の状態では削除指示マークは付加されていない）（Ｓ４）。例えば、静止画番号欄と削除指示マーク欄を持つ管理テーブルなどにより削除指示の付加状態を管理しておくのである。こうして、チェックの結果、削除指示が付加されていなかった場合には（Ｓ４で「いいえ」）そのままその静止画を表示する（Ｓ５）。付加されていた場合には（Ｓ４で「はい」）、制御部１は、図６に示したように削除指示が施されている静止画であることがわかるように表示画像に削除マークを付けて表示する（Ｓ６）。
【００１１】
こうして、当該静止画を表示すると、ボタン操作待ちとなる（Ｓ７）。そして、「セット」ボタン２２が押された場合（これは削除マーク付加状態を変更する場合である）には（Ｓ８で「はい」）、そのとき表示されている静止画に削除マークが付加されているかどうかを判定し（Ｓ９）、削除マークが付加されていない場合には（Ｓ９で「いいえ」）、その静止画に削除マークを付加する（Ｓ１０）。削除マークが付加されていた場合には（Ｓ１１）、削除マークを外す（Ｓ１２）。そして、ステップＳ４へ戻る。
一方、「セット」ボタンが押されず（Ｓ８で「いいえ」）、「＋」ボタンが押された（タッチされた）場合には（Ｓ１２で「はい」）、表示する静止画を１つ進めて（Ｓ１３）、ステップＳ４へ戻る。また、「＋」ボタンも押されず（Ｓ１２で「いいえ」）、「−」ボタンが押された場合には（Ｓ１４で「はい」）、表示する静止画を１つ戻し（１番目の静止画表示中では並びの最後の静止画へ行く）（Ｓ１５）、ステップＳ４へ戻る。また、「−」ボタンも押されず（Ｓ１４で「いいえ」）、「メニュー」ボタン２１が押された場合には（Ｓ１６で「はい」）、図５に示した削除メニューの画面に戻る（Ｓ１７）。「メニュー」ボタン２１も押されなかった場合には（Ｓ１６で「いいえ」）、ステップＳ７へ戻り、ステップＳ７以下を繰り返す。
【００１２】
この後、図５に示した画面で、利用者が「マーク付き静止画をすべて削除」を選択し、「セット」ボタン２２を押すと、制御部１は削除確認ダイアログを表示し、削除を指示されたマーク付きのすべての静止画に対して削除処理を実行するか、実行をキャンセルするかを選択させる。そして、利用者が削除処理の実行を選んだ場合には、削除指示された静止画の一括削除を実行する。
編集処理についても削除の場合と同様に実施することができる。例えば、選択した静止画についてフルカラー画像をセピア色に色変更するような編集処理の場合は、次のようになる。
まず、図４の画面で利用者は「編集」を選択し、それにより、制御部１は図７に示したような編集メニュー画面を表示させる。そして、利用者が「編集内容」を選択したとき、図示していない画面を表示させて、フルカラー画像をセピア色に色変更する編集内容を設定させる。その後は、削除処理の場合と同様の手順でマークを付けた静止画をまとめてセピア色に変更する。
このように、本発明では、処理を施す複数の静止画を選択した後、その処理を一括して実行するので、作業効率が飛躍的に向上する。従来は、静止画を１つ選択してはその静止画に対する処理を実行していたので、同様の操作を複数の静止画分だけ繰り返し実行することになり、作業効率が悪かったのである。また、本発明では、当該処理の対象候補をまとめて選択しておいて、全体を再度見直して選択候補を吟味し直すことも容易である。
以上、デジタルカメラの場合で説明したが、本発明の画像再生装置は撮影して得られる画像データを取り込む機能を備えたパーソナルコンピュータなど情報処理装置でも実現できる。また、デジタルカメラの場合にしろ、情報処理装置の場合にしろ、本発明の特徴とするところは図３に示した動作フローを実行させるようにプログラミングされたプログラムをメモリに記憶させ、ＣＰＵ（演算処理装置）をそのプログラムに従って動作させるようにして実現することができる。
【図面の簡単な説明】
【００１３】
【図１】本発明の一実施形態を示すデジタルカメラ要部の構成ブロック図。
【図２】本発明の一実施形態を示すデジタルカメラの背面図。
【図３】本発明の一実施例を示すデジタルカメラ要部の動作フロー図。
【図４】本発明の一実施例を示すデジタルカメラの画面図。
【図５】本発明の一実施例を示すデジタルカメラの他の画面図。
【図６】本発明の一実施例を示すデジタルカメラ要部の説明図。
【図７】本発明の一実施例を示すデジタルカメラの他の画面図。
【符号の説明】
【００１４】
１  制御部、６  画像処理部、８  操作部、９  画像表示メモリ、１０  表示インタフェース部、１１  表示装置、１４  コネクタ、２１  「メニュー」ボタン、２２  「セット」ボタン、２４  「＋」ボタン、２５  「−」ボタン
【図１】
2005191967.tif 000003
【図２】
2005191967.tif 000004
【図３】
2005191967.tif 000005
【図４】
2005191967.tif 000006
【図５】
2005191967.tif 000007
【図６】
2005191967.tif 000008
【図７】
2005191967.tif 000009